(57)【要約】【課題】  整流ダイオードの線的機能を増進し、帰還信号からの電磁導電干渉を防止可能である回路を提供する。【解決手段】  回路１００は負荷装置ＬＤから第一ダイオードＤ１及び第二ダイオードＤ２間の一点ＰＦＢまでの間に帰還パスＦＢを配置している。帰還パスＦＢは負荷装置ＬＤ及び帰還点ＰＦＢの間に接続される並列コンデンサーＣＳを有する。第一入力端子１０６は入力インダクタンス装置Ｌ１及びダイオードＤ１、Ｄ２の間の帰還点ＰＦＢを介して接続される。第二入力端子１０８は第一コンデンサーＣ０１及び第二コンデンサーＣ０２間の一点に接続され、入力コンデンサーＣ１は第一端子１０６及び第二端子１０８の間に接続される。さらに回路１００は入力インダクタンス装置Ｌ１と接続される遮断コンデンサーＣＰを備え、帰還パスＦＢにおける負荷信号の一つの周波数に至るように調整される陥波濾波装置を形成する。【選択図】  図２
2005204408.tif 000002
【特許請求の範囲】
【請求項１】
ＡＣ入力信号を受ける第一入力端子及び第二入力端子と、
第一端子と接続する第一端部及び第二端部を有する入力インダクタンス装置と、
一つの信号を負荷から第一インダクタンス装置の第二端部へ伝送する帰還パスと、
並列方式により入力インダクタンス装置と接続される遮断コンデンサーであって、陥波濾波装置を形成し、その周波数を帰還パス上の負荷信号の周波数に一致させる遮断コンデンサーとを備えることを特徴とする回路。
【請求項２】
端部と端部とにより接続する第一ダイオード及び第二ダイオードを備え、
第一ダイオード及び第二ダイオードは第一軌道及び第二軌道に跨り接続され、第一インダクタンスの第二端は第一ダイオード及び第二ダイオードの間の一定の点に接続されることで負荷の送信号を受けることを特徴とする請求項１に記載の回路。
【請求項３】
第一ダイオード及び第二ダイオードは、倍電圧整流の構造に接続されることを特徴とする請求項１に記載の回路。
【請求項４】
第一端及び第二端の間に接続される第一コンデンサーを備えることを特徴とする請求項１に記載の回路。
【請求項５】
共振インダクタンス装置及び共振コンデンサーを備え、第一負荷端及び第二負荷端から負荷を通電させることを特徴とする請求項１に記載の回路。
【請求項６】
帰還パスは、負荷の第二端から第一インダクタンスの第二端部間まで延伸することを特徴とする請求項５に記載の回路。
【請求項７】
蛍光灯を通電させるための共振回路を備えることを特徴とする請求項１に記載の回路。
【請求項８】
ＡＣ入力信号を受ける第一ダイオード、第二ダイオード、第三ダイオード及び第四ダイオードによる全ブリッジ整流器を備え、帰還パスは全ブリッジ整流器のＡＣ端子まで延伸することを特徴とする請求項１に記載の回路。
【請求項９】
全ブリッジ整流器のＡＣ端子間に端部と端部とに跨るように接続される第一並列コンデンサー及び第二並列コンデンサーを備え、帰還パスは第一並列コンデンサー及び第二並列コンデンサー間の一定の点から延伸することを特徴とする請求項８に記載の回路。
【請求項１０】
負荷装置に至る全ての電流が帰還パスを通過することを特徴とする請求項１に記載の回路。
【請求項１１】
ＡＣ入力信号を受ける第一ダイオード、第二ダイオード、第三ダイオード及び第四ダイオードによる全ブリッジ整流器を備え、帰還パスは全ブリッジ整流器まで延伸することを特徴とする請求項１に記載の回路。
【請求項１２】
帰還パスは第一パス及び第二パスを有し、第一パスは負荷から第一整流ダイオード及び第三整流ダイオード間までの第一節点であり、第二パスは負荷から第二整流ダイオード及び第四整流ダイオード間までの第二節点であることを特徴とする請求項１１に記載の回路。
【請求項１３】
第一節点に接続される第一ブリッジ式ダイオードと、第二節点に接続される第二ブリッジ式ダイオードとを備えることを特徴とする請求項１２に記載の回路。
【請求項１４】
第二入力端に接続される第二入力インダクタンスと、第二入力インダクタンスと並列して陥波濾波装置を形成し、かつ帰還パス上における負荷信号の周波数に至るように調整する第二遮断コンデンサーとを備えることを特徴とする請求項８に記載の回路。
【請求項１５】
共振インダクタンス及び共振コンデンサーを有する共振回路と、
端部と端部とにより接続され、かつ倍電圧整流の構造において第一軌道及び第二軌道に跨り接続される第一ダイオード及び第二ダイオードと、
パワーを負荷から第一ダイオード及び第二ダイオードの間に位置する帰還点へ伝送する帰還パスと、
ＡＣ入力信号を受け第一ダイオード及び第二ダイオードに提供する第一端及び第二端と、
第一端及び帰還点の間に接続される入力インダクタンスと、
入力インダクタンスと並列接続される遮断コンデンサーであって、その入力インダクタンス及び遮断コンデンサーは抵抗値を有することで、陥波濾波装置の負荷電流に対応する操作の周波数を提供し帰還点へ伝送可能である遮断コンデンサーと、
を備えることを特徴とする回路。
【請求項１６】
共振インダクタンス装置及び共振コンデンサーを有する共振回路と、
端部と端部とにより接続されかつ第一軌道及び第二軌道に跨り接続される第一ダイオード及び第二ダイオード、ならびに端部と端部とにより接続されかつ第一軌道及び第二軌道に跨り接続される第三ダイオード及び第四ダイオードを有する全ブリッジ整流器と、
パワーを負荷から第一ダイオード及び第二ダイオードの間に位置する帰還点へ伝送する帰還パスと、
ＡＣ入力信号を受け第一ダイオード及び第二ダイオードに提供する第一端及び第二端と、
第一端及び帰還点の間に接続される第一入力インダクタンスと、
第一入力インダクタンスと並列接続される第一遮断コンデンサーであって、その第一入力インダクタンス及び第一遮断コンデンサーは抵抗値を有することで、第一陥波濾波装置の負荷電流に対応する操作の周波数を提供し帰還点へ伝送可能である第一遮断コンデンサーと、
第二入力インダクタンスと並列接続される第二遮断コンデンサーであって、その第二入力インダクタンス及び第二遮断コンデンサーは抵抗値を有することで、第二陥波濾波装置の負荷電流に対応する操作の周波数を提供し帰還点へ伝送可能である第二遮断コンデンサーと、
を備えることを特徴とする回路。
【請求項１７】
回路における電磁感応を最小化させ、回路がケーブルによりＡＣ入力信号を受け、帰還する方法であって、
並列方式により第一遮断コンデンサー及び第一入力インダクタンス装置を接続し、かつインダクタンス装置をＡＣ入力信号を受ける第一入力端子に接続するプロセスと、
回路により帰還信号を第一入力インダクタンス装置に提供し、その帰還信号は操作の周波数を有するプロセスと、
第一入力インダクタンス装置の使用に供する抵抗、ならびに第一遮断コンデンサーの使用に供する抵抗を選択し、第一入力インダクタンス装置及び遮断コンデンサーに、帰還信号の操作の周波数に至るように調整される第一陥波濾波装置を設置することで、帰還信号からのパワーが回線に引き返すことを防止するプロセスと、
を含むことを特徴とする方法。
【請求項１８】
帰還信号と整流ダイオードとを接続し、その帰還信号によりダイオードの線的機能を増進するプロセスを含むことを特徴とする請求項１７に記載の方法。
【請求項１９】
ＡＣ信号を受ける第二入力端子上に第二陥波濾波装置を設置するプロセスを含むことを特徴とする請求項１７に記載の方法。
【請求項２０】
負荷装置からの全ての信号として帰還信号を設けるプロセスを含むことを特徴とする請求項１７に記載の方法。
【請求項２１】
負荷装置は一つの蛍光灯に相当することを特徴とする請求項２０に記載の方法。
【請求項２２】
ソフト起動装置がランプ上に設置される回路であって、
ランプの端子を接続するための第一ランプ端子及び第二ランプ端子と、
第一ランプ端子と接続される第一端子及び第二端子を有し、導電方式により共振インダクタンス装置と接続される負荷インダクタンス装置と、
一端と一端との向かい合う方式により第一ランプ端子及び第二ランプ端子における負荷インダクタンス装置と接続される共振コンデンサーであって、負荷インダクタンス装置の第二端部と接続される第一端部、ならびに第二ランプ端子と接続される第二端部を有する共振コンデンサーと、
並列方式により共振コンデンサーと接続される正温度係数素子と、
を備えることを特徴とする回路。
【請求項２３】
半ブリッジ構造に配置される共振インダクタンス装置と接続される第一開閉素子及び第二開閉素子を備えることを特徴とする請求項２２に記載の回路。
【請求項２４】
共振インダクタンス装置と接続される全ブリッジ式開閉素子を備えることを特徴とする請求項２２に記載の回路。
【請求項２５】
ランプは一つの蛍光灯を有することを特徴とする請求項２２に記載の回路。
【請求項２６】
ソフト起動装置を回路内の一個のランプに配置することでランプを通電させる方法であって、
一端と一端との向かい合う方式により負荷インダクタンス装置及び共振コンデンサーを第一負荷端子及び第二負荷端子に接続するプロセスと、
導電方式により負荷インダクタンス装置及び共振インダクタンス装置を接続するプロセスと、
正温度係数素子を共振コンデンサーに接続するプロセスと、
を含むことを特徴とする方法。
【請求項２７】
回路操作の周波数の安定を維持するように負荷インダクタンス装置の抵抗を選択するプロセスを含むことを特徴とする請求項２６に記載の方法。
【請求項２８】
電弧電圧を施す前にランプに輝光電流を約５秒提供するように正温度係数素子の抵抗特性を選択するプロセスを含むことを特徴とする請求項２６に記載の方法。
【発明の詳細な説明】
【技術分野】
【０００１】
本発明は、回路に関し、特に負荷装置のパフォーマンスを制御する回路に関するものである。
【背景技術】
【０００２】
周知の技術により掲示されている通り、負荷装置を通電させることで回路全体の性能の改善を図る回路は様々ある。ある回路は負荷装置により偏圧モジュールに至り、例えばダイオードの帰還装置が導電状態を呈することで、コンデンサーにより効率的に充電する効果に達する。特許文献１から４には、標準のパフォーマンス制御、減光及び帰還パスについての説明が掲示されている。
【０００３】
図１に示すように、周知の技術による標準共振回路では、並列コンデンサーＣｓを経由し倍電圧整流回路を形成するダイオードＤ１、Ｄ２間の一点ＰＦＢに至るまで一つの帰還パスを配置する。入力濾波装置ＩＦは、インダクタンス装置Ｌ１及びコンデンサーＣ１を有することで、共振回路のパワーが伝統的なホワイトコードＷＨＴ及びブラックコードＢＬＫに相当する入力端子を経由し回線に引き返すことを防止する。ダイオードＤ１、Ｄ２に施す帰還パスは、その電圧レベルを各種のＬＣ素子ＣＦ、ＬＲ１″、ＬＲ２間の共振作用により増加可能である。しかし帰還量は、部分的な帰還信号により発生し、入力インダクタンス装置Ｌ１及びコンデンサーＣ１を経由し流れ戻った許容可能な電磁干渉量と限定されるため、負荷装置の帰還装置における予測可能な回路による回路性能の低下、ならびに帰還パスの使用を制限する大量の″電磁導電干渉″（ＥＭＣ）が発生する。
【０００４】
【特許文献１】米国特許第5,686,799号明細書
【特許文献２】米国特許第5,691,606号明細書
【特許文献３】米国特許第5,798,617号明細書
【特許文献４】米国特許第5,955,841号明細書
【発明の開示】
【発明が解決しようとする課題】
【０００５】
本発明の主な目的は、整流ダイオードの線的機能を増進すると同時に、帰還信号からの電磁導電干渉を防止可能である負荷装置の帰還装置による共振回路を提供することにある。
【課題を解決するための手段】
【０００６】
本発明の構造によると、全ての高周波負荷帰還信号は整流ダイオードの導電状態の維持に用いられ、非線的負荷装置は線的状態を呈するように形成される。本発明は一つの蛍光灯を通電させる回路に基づき説明を加えるものであるが、本発明は帰還信号により回路の機能を増加する一般の回路に適用すると見受けられる。
【０００７】
回路は、ＡＣ（交流）入力信号を受ける第一入力端子及び第二入力端子と、第一端子と接続する第一端部を有する入力インダクタンス装置とを備える。そして回路は、負荷装置からの信号を第一インダクタンス装置の第一端部へ伝送する帰還パスと、並列方式により入力インダクタンス装置と接続される遮断コンデンサーとを備えることにより、帰還パスにおける負荷信号の一つの周波数に至るように調整される陥波濾波装置を形成する。このような構造により、全ての負荷電流を整流ダイオードに至らせる帰還方式を提供し、ダイオードの線的機能を増進すると同時に、陥波濾波装置により帰還信号からのパワーが回線に引き返すことを防止可能である。
【０００８】
本発明のもう一つの特性は、回路、たとえば共振電流安定回路は、導電方式により共振インダクタンス装置と接続される負荷インダクタンス装置及び正温度係数（ＰＴＣ）素子を有し、両者の結合によりソフト起動装置に一つの負荷装置を提供し、それを一つの蛍光灯にすることも可能である。
【発明を実施するための最良の形態】
【０００９】
以下、本発明の実施例を図面に基づいて説明する。
図２に示すように、標準回路１００は、蛍光灯（非線的負荷装置）で示す負荷装置ＬＤから第一ダイオードＤ１及び第二ダイオードＤ２間の一点ＰＦＢまでの間に帰還パスＦＢを配置し、それらダイオードが倍電圧整流器の構造における第一軌道１０２及び第二軌道１０４に接続される。帰還パスＦＢは負荷装置ＬＤ及び帰還点ＰＦＢの間に接続される並列コンデンサーＣＳを有する。
【００１０】
第一コンデンサーＣ０１及び第二コンデンサーＣ０２は端部と端部により軌道１０２、１０４に接続され、伝統的なブラックコードに相当する第一入力端子１０６は入力インダクタンス装置Ｌ１及びダイオードＤ１、Ｄ２の間の帰還点ＰＦＢを介して接続される。伝統的なホワイトコードに相当する第二入力端子１０８は第一コンデンサーＣ０１及び第二コンデンサーＣ０２間の一点に接続されると、同時に入力コンデンサーＣ１は第一端子１０６及び第二端子１０８の間に接続される。
【００１１】
本実施例では、共振回路１００は、負荷装置を通電させるように半ブリッジ式構造に接続される第一開閉素子１１０及び第二開閉素子１１２を有する。共振回路１００は共振インダクタンス装置ＬＲ、共振コンデンサーＣＲ及び負荷装置ＬＤたとえば蛍光灯などを有する。負荷装置には各種の異なる共振及び非共振、線的及び非線的回路、装置及びシステムなどを設置しても可能である。かつ本発明の範疇を超えない限り開閉素子を各種の異なる構造、たとえば全ブリッジ式構造に設置しても可能である。また周知の技術による各種の異なる装置から開閉素子を採用することも可能である。
【００１２】
回路１００は、並列方式により入力インダクタンス装置Ｌ１に接続される遮断コンデンサーＣＰにおいて、遮断コンデンサーＣＰの抵抗を選択することにより、帰還信号の周波状態で並列方式により入力インダクタンス装置Ｌ１とともに共振を形成し、その周波数は負荷装置の操作の周波数に相当する。また遮断コンデンサーＣＰ及び入力インダクタンス装置Ｌ１は帰還信号の周波状態で陥波濾波装置を提供し、帰還信号からのパワーが入力端子１０６、１０８を経由し回線に引き返すことを防止し、陥波濾波装置は、入力コンデンサーＣ１及び入力インダクタンス装置Ｌ１を経由してくる帰還信号からの最低電流の流量を許容する。
【００１３】
回線に引き返すパスが遮断されるため、全ての負荷電流量に相当する全ての帰還信号電流は導入され、ダイオードＤ１、Ｄ２を導電状態に維持する。高周波数の帰還信号は、ダイオードＤ１、Ｄ２に偏圧を施し、導電状態を呈させることで、パワーを回路からコンデンサーＣ０１、Ｃ０２に流れさせ、このような構造では、非線的負荷装置はほぼ線的となるものである。
【００１４】
図３に示すように回路１００'は図２のように、増強線的機能を有し、表示符号も類似する素子を示す。回路１００'は、整流器ＡＣ（交流）端子ＲＡＣ１、ＲＡＣ２の間に端部と端部により接続される第一並列コンデンサーＣＳ１及び第二並列コンデンサーＣＳ２を有する全ブリッジ整流器Ｄ１、Ｄ２、Ｄ３、Ｄ４を有する。コンデンサーＣ０はＤＣ（直流）軌道ＲＤＣ１、ＲＤＣ２と接続する。帰還パスＦＢは蛍光灯で示す負荷装置ＬＤから第一並列コンデンサーＣ１及び第二並列コンデンサーＣ２間の一点ＰＦＢまで延伸する。
【００１５】
第一入力インダクタンス装置Ｌ１−１は第一端子１０６に配置され、電感応方式により第一入力インダクタンス装置Ｌ１−１に接続する第二入力インダクタンス装置Ｌ１−２は第二端子１０８に配置される。インダクタンス装置Ｌ１−１、Ｌ１−２は特定用途に応じ接続するか分離すると考えられる。第一遮断コンデンサーＣＰ−１は並列方式により第一入力インダクタンスＬ１−１装置に接続することで、負荷装置ＬＤから帰還信号に至るように調整される陥波濾波装置を形成し、第二遮断コンデンサーＣＰ−２は並列方式により第二入力インダクタンス装置Ｌ１−２に接続することで、帰還信号に至るように調整される陥波濾波装置を形成する。
【００１６】
本実施例では、第一入力インダクタンス装置Ｌ１−１及び第二入力インダクタンス装置Ｌ１−２の抵抗はほぼ同じであると同時に、第一入力コンデンサーＣＰ−１及び第二入力コンデンサーＣＰ−２の抵抗はほぼ同じである。  このような構造では、帰還信号ＦＢからのパワーは導入され、全ブリッジ整流器ダイオードＤ１、Ｄ２を導電状態に維持する。それは、陥波濾波装置Ｌ１−１、ＣＰ−１及びＬ１−２、ＣＰ−２により帰還信号からのパワーが回線に引き返すことを防止し、ＥＭＣ（電子測量制御）のレベルを最低限に下げることが可能だからである。
【００１７】
図４に示すように、回路１００"は図３のように、増強線的機能を有し、表示符号も類似する素子を示す。回路１００"は、負荷装置ＬＤから全ブリッジ整流器Ｄ１−Ｄ４に至り第一ＤＣ端子ＲＤＣ１及び第二ＤＣ端子ＲＤＣ２に相関する第一帰還パスＦＢ１及び第二帰還パスＦＢ２を有する。第一帰還パスＦＢ１は第一並列コンデンサーＣＳ１を有し、第二帰還パスＦＢ２は第二並列コンデンサーＣＳ２を有する。また回路１００"は、第一帰還点ＲＤＣ１及び第一開閉素子１１０の間に接続される第一ブリッジ式ダイオードＤＦ１と、第二帰還点ＲＤＣ２及び第二開閉素子１１２の間に接続される第二ブリッジ式ダイオードＤＦ２とを有する。
【００１８】
このような構造により、負荷装置からの全ての帰還パワーは整流ダイオードに提供されるとともに、整流ダイオードＤ１−Ｄ４の線的機能を果たす。帰還信号に至るように調整される並列ＬＣ共振回路により供応される陥波濾波装置は、負荷信号全体を帰還可能である。それは、陥波濾波装置により、回線に引き返すＥＭＣパワーを許容可能なレベルないし適用標準以下に下げることが可能だからである。
【００１９】
標準実施例により、ＥＭＣを低減させる陥波濾波装置が並列共振ＬＣ回路の一種の回路であることは掲示されているが、その他の共振回路を陥波濾波装置として採用することも可能だと考えられる。
本発明のもう一つの特性により、電流安定回路は、導電方式により共振インダクタンス装置に接続される負荷インダクタンス装置、共振コンデンサー、正温度係数（ＰＴＣ）素子などを備え、それらの装置の結合によりランプのソフト起動プロセスを促し、このような構造では、好ましい電圧及び電流起動レベルを蛍光灯に提供可能である。
図５に示すように、標準共振回路２００は、電流安定回路で示され、本発明により該回路がランプの起動プロセスを有するものである。回路２００は半ブリッジ式構造における第一開閉素子Ｑ１及び第二開閉素子Ｑ２の間に接続される共振インダクタンス装置ＬＲ１を有する。また回路は倍電圧整流ダイオードＤ１、Ｄ２の伝統的な入力、蓄積コンデンサーＣ０１、Ｃ０２及びＬＣ入力濾波装置を含む。
本発明の範疇を超えない限り、回路は各種の異なる構造を含んでもよく、開閉素子は周知の技術における各種の異なる装置から採用してもよいと考えられる。
【００２０】
標準回路２００は、第一負荷端子ＬＴ１及び第二負荷端子ＬＴ２を有し、そのうえに負荷装置ＬＤ、例えばランプを設置し、電流の流動により通電させる。共振コンデンサーＣＲ及び負荷インダクタンス装置ＬＲ２は、端部と端部により第一負荷端子ＬＴ１及び第二負荷端子ＬＴ２に接続され、負荷インダクタンス装置ＬＲ２は導電方式により共振インダクタンス装置ＬＲ１に接続され、ＰＴＣ素子は並列方式により共振コンデンサーＣＲに接続される。
【００２１】
図６に示すのは周知の技術により掲示されるものである。ＰＴＣ素子は第一（比較的低い）温度範囲内において第一（電気的な抵抗性）抵抗Ｒ１を有し、第二（比較的高い）温度範囲内において第一抵抗より大幅に高い第二（電気的な抵抗性）抵抗Ｒ２を有する。ある温度Ｔｃにおいて、ＰＴＣの抵抗は第一抵抗Ｒ１から第二抵抗Ｒ２に明らかに変わる。標準実施例では、ＴＰＣのＴｃは約１２０℃、冷間抵抗は１ｋＯｈｍ、一定の電圧は３５０Ｖｒｍｓであり、周知の技術により、用途に応じてＰＴＣの特性を選択可能であることは容易に推知される。
【００２２】
図７Ａに示すように、ソフト起動時間ｔｓｓを施されるランプの比較的低い電圧Vlamp（Ｖランプ）及び比較的高い陰極電流レベルIcathode（Ｉ陰極）は、輝光電流となり、ランプ陰極の同時流動により、陰極を図７Ｂに示すように約０．５秒のソフト起動時間ｔｓｓに至るまで加熱する。ソフト起動時間の後、正温度係数素子ＰＴＣは所定の温度Ｔｃまで加熱され、ＰＴＣの抵抗を第二比較的高いレベルＲ２に増加する。ＰＴＣ素子抵抗は開始特性に近づくように明らかに上昇するため、ランプには電弧電圧Ｖｓが施される。電弧電圧が施されると、操作ランプ電圧Vlampレベル及び陰極電流Icathodeレベルに達することが可能である。
【００２３】
負荷インダクタンス装置ＬＲ２は、ランプに電圧限定をサポートすることが可能であり、部分の負荷装置、例えばCompact Fluorescent Lamps（ＣＦＬｓ）（圧縮蛍光灯）は比較的広い操作の範囲がある。例えばランプが暗くなったら、電流レベルが低減し、ランプの電圧がなくなる。また共振回路の操作の周波数が増加する場合、負荷電圧は増加の傾向がある。それは、負荷インダクタンス装置Ｌ２の抵抗は周波数の増加にともない上昇し、電圧の上昇を防止することが可能だからである。したがって、負荷インダクタンス装置Ｌ２により回路の操作の周波数の安定を維持可能である。
【図面の簡単な説明】
【００２４】
【図１】周知の技術による負荷装置からの帰還パスを有する回路の模式図である。
【図２】本発明の一実施例による帰還パスを有する回路の略図である。
【図３】本発明のもう一つの実施例による帰還パスを有する回路の略図である。
【図４】本発明のもう一つの実施例による帰還パスを有する回路の略図である。
【図５】本発明の一実施例によるソフト起動装置を有する回路の略図である。
【図６】図５による回路の一部の正温度係数素子の抵抗対温度を示す模式図である。
【図７Ａ】図５の回路により提供されるランプ電圧の模式図である。
【図７Ｂ】図５の回路により提供されるランプ陰極電流の模式図である。
【符号の説明】
【００２５】
１００  回路、１０６  第一入力端子、１０８  第二入力端子、ＣＰ  遮断コンデンサー、ＦＢ  帰還パス、Ｌ１  入力インダクタンス装置、ＰＦＢ  帰還点
【図１】
2005204408.tif 000003
【図２】
2005204408.tif 000004
【図３】
2005204408.tif 000005
【図４】
2005204408.tif 000006
【図５】
2005204408.tif 000007
【図６】
2005204408.tif 000008
【図７Ａ】
2005204408.tif 000009
【図７Ｂ】
2005204408.tif 000010